(57)【要約】【課題】使用後はコンパクトにすることができ、持ち運びや収納を容易に行うことができる動物撃退装置を提供すること。【解決手段】第１の導電性シート３と、少なくとも一部が導電性材料で形成された餌載置部４と、第１の導電性シート３及び餌載置部４に電気的に接続される衝撃電圧発生装置１とを備えた動物撃退装置１００おいて、第１の導電性シート３を、動物撃退装置の本体Ａを載置する底シート３ａと、その周囲に配置された側シート３ｂとから構成し、蝶番３ｃによって側シート３ｂを底シート３ａに対して折り曲げ可能に連結する。【選択図】図１
2006136254.tif 000002
【特許請求の範囲】
【請求項１】
第１の導電性シートと、少なくとも一部が導電性材料で形成された餌載置部と、第１の導電性シート及び餌載置部に電気的に接続された衝撃電圧発生装置とを備え、第１の導電性シートが折り曲げ可能である動物撃退装置。
【請求項２】
第１の導電性シートが、動物撃退装置の本体を載置する底シートと、その周囲に配置された側シートとからなり、側シートが底シートに対して折り曲げ可能に連結されている請求項１に記載の動物撃退装置。
【請求項３】
餌載置部が、絶縁性材料で凹状に形成された餌収納容器と、餌収納容器の内面に配置された第２の導電性シートとを備え、衝撃電圧発生装置が第１及び第２の導電性シートに電気的に接続されている請求項１又は２に記載の動物撃退装置。
【請求項４】
餌載置部の全部が導電性材料で形成されている請求項１又は２に記載の動物撃退装置。
【発明の詳細な説明】
【技術分野】
【０００１】
本発明は、屋外を徘徊し、糞尿を放出する等の各種の害を及ぼす犬猫や野生の動物等を、電撃により撃退する動物撃退装置に関するものである。
【背景技術】
【０００２】
屋外を徘徊する犬猫等は、庭先などに糞尿を撒き散らし、また、花壇や家庭菜園、ゴミ集積場等をほじくり返したりする厄介者である。また、野生の動物等は農地に出没し、農作物を荒らしている。
【０００３】
そのため、従来より、各種の動物撃退装置が提案されており、特許文献１には、電撃を利用した動物撃退装置が提案されている。
【０００４】
この特許文献１の動物撃退装置は、対向電極からなる撃退用電極部と、この対向電極に撃退用電圧を供給する発振回路とを有し、対向電極に例えば犬猫等が乗ると、発振回路から供給される撃退用電圧によって感電し、その電撃により犬猫等を撃退するようにしたものである。
【０００５】
しかし、この動物撃退装置では、特許文献１の段落００２１に記載されているように対向電極部のプラス極とマイナス極の間隔が２ｍｍ程度であるため雨が降っただけでショートしてしまい現実的でない。
【０００６】
また、犬猫等の動物が直接電撃を受ける部位は基本的には足裏、又は、毛深く覆われた背中、腹等であり、足裏は皮膚が厚く電撃に鈍感である。そして、背中、腹等の毛は電流を通しにくい。したがって、足裏の周囲、又は、背中、腹の周囲に電圧を印加したとしても、電撃が加わりにくい。
【０００７】
さらに  この動物撃退装置は、撃退電極部上を撮像手段で撮像し、この撮像手段の出力データから撃退電極部上の動物を動物検出手段により検出し、所定の動物の場合のみ発振回路からの撃退用電圧を対向電極に印加し、所定の動物以外の場合は発振回路からの撃退用電圧を対向電極に印加しないようにして、人への感電防止を図っているが、実際にこれを実現化すると著しく高価な装置になってしまい、犬猫等を追い払うだけにしては誠に実際的でない。
【０００８】
このように、特許文献１の動物撃退装置では、対向電極に雨が降ったり、他の物質が接触したりするだけでショートし、機能が著しく低下して犬猫等に対して電撃を有効に与えることができないという問題があった。
【０００９】
さらに、実現化するには高価すぎるという問題点があり、また、電撃を有効に与えるためには撃退用電圧としての発振回路からの発振出力の電圧を高くしなければならず、そうすると、消費電力が大きくなるという問題があった。
【００１０】
そこで、本願出願人は、特願２００４−２３２５３８において、新たな動物撃退装置を提案した。この動物撃退装置は、地面に敷設する第１の導電性シートと、絶縁性材料で凹状に形成された餌収納容器と、餌収納容器の内面に配置された第２の導電性シートと、第１及び第２の導電性シートに導電線によって連結された衝撃電圧発生装置を備えたものである。これによって、簡単な構造となり、そして安価で、しかも、電撃に対する感受性の高い動物の舌や口や鼻の周囲に確実に電撃を与えることができるようになり、よって少ない消費電力で有効な電撃を動物に与えることができ、動物が電撃をよく学習し撃退効果を高めることができるようになった。
【００１１】
しかし、この動物撃退装置では、動物が載るスペースを確保する必要性から地面に敷設する第１の導電性シートが必然的に大面積となるため、全体として嵩張り、持ち運びや収納に不便を生じていた。
【００１２】
このように、本願出願人が先に提案した動物撃退装置には、その持ち運び性や収納性に問題が残されていた。
【特許文献１】特開２００４−１４１１１９号公報
【発明の開示】
【発明が解決しようとする課題】
【００１３】
本発明が解決しようとする課題は、使用後はコンパクトにすることができ、持ち運びや収納を容易に行うことができる動物撃退装置を提供することにある。
【課題を解決するための手段】
【００１４】
本発明は、動物撃退装置が嵩張る原因となっていた第１の導電性シートを折り曲げ可能とすることによって上記課題を解決した。
【００１５】
すなわち、本発明の動物撃退装置は、第１の導電性シートと、少なくとも一部が導電性材料で形成された餌載置部と、第１の導電性シート及び餌載置部に電気的に接続された衝撃電圧発生装置とを備え、第１の導電性シートが折り曲げ可能であることを特徴とする。
【００１６】
第１の導電性シートを折り曲げ可能にする好適な構成としては、第１の導電性シートを、動物撃退装置の本体を載置する底シートと、その周囲に配置された側シートとから構成し、側シートを底シートに対して折り曲げ可能に連結する。この構成において、側シートを折り曲げると、第１の導電性シートが箱状となりコンパクトになるので、持ち運びや収納が容易となる。
【００１７】
本発明において、餌載置部は、少なくとも一部が導電性材料で形成され、衝撃電圧発生装置と電気的に接続されるものであれば良く、例えば、絶縁性材料で凹状に形成された餌収納容器と、餌収納容器の内面に配置された第２の導電性シートとから構成し、第２の導電性シートを衝撃電圧発生装置と電気的に接続するようにしても良い。また、餌載置部の全部を導電性材料で形成しても良い。
【００１８】
このような構成において、例えば犬猫等の身体の一部が第１の導電性シートに接触し、この犬猫等の他の部位が餌載置部に接触すると、衝撃電圧発生装置からの衝撃電流が流れ、犬猫等に電撃が与えられる。ここで、第１の導電性シートと餌載置部とは、対象となる犬猫等の体長にほぼ匹敵する位の距離をあけて配置するとこが好ましい。これによって、犬猫等の舌や口や鼻の周囲が餌載置部に、より接触しやくなる。すなわち、犬猫等の舌や口や鼻の周囲は、犬猫等の身体で最も電撃を感ずる部位であるので、犬猫等が電撃をよく学習し撃退効果を高めることができる。また、第１の導電性シートと餌載置部とを犬猫等の体長にほぼ匹敵する位の距離をあけて配置することで、雨などが降ってもショートしにくくなる。
【発明の効果】
【００１９】
本発明によれば、第１の導電性シートが折り曲げ可能であるので、使用後に折り曲げることで動物撃退装置をコンパクトにすることができ、その持ち運びや収納が容易となる。
【発明を実施するための最良の形態】
【００２０】
以下、本発明の実施の形態を図面に示す実施例に基づき説明する。
【実施例１】
【００２１】
図１は、本発明に係る動物撃退装置の一実施例を示し、（ａ）は概略断面図、（ｂ）は概略平面図である。同図に示す動物撃退装置１００は猫用の撃退装置である。
【００２２】
図１において、動物撃退装置１００は、衝撃電圧発生装置１と、電源としての電池２と、第１の導電性シート３と、餌載置部４と、餌５とを主要な構成とする。なお、本実施例では、動物撃退装置１００の第１の導電性シート３以外の部分を本体Ａと呼ぶ。
【００２３】
衝撃電圧発生装置１は、電池２から供給される直流電圧を作動電源として、出力端子１ａ，１ｂ間にパルス状の衝撃電圧を一定の周期で発生させる。衝撃電圧発生装置１は、絶縁性材料で成型された収納ボックス６内に収納され、収納ボックス６の外面には衝撃電圧発生装置１をオン・オフするスイッチ７と、衝撃電圧発生装置１が衝撃電圧を発生させるときに点灯する出力ランプ８が設けられている。
【００２４】
第１の導電性シート３は、本体Ａを載置する底シート３ａと、その周囲に配置された４枚の側シート３ｂとからなり、側シート３ｂは、金属製の蝶番３ｃによって底シート３ａに対して折り曲げ可能に連結される。また、底シート３ａは、衝撃電圧発生装置１のマイナス側の出力端子１ａに導電線９を介して接続される。側シート３ｂは、金属製の蝶番３ｃによって底シート３ａに電気的にも接続されるので、底シート３ａを衝撃電圧発生装置１のマイナス側の出力端子１ａに接続することで、第１の導電性シート３全体が衝撃電圧発生装置１と電気的に接続される。この第１の導電性シート３には、直径１ｍｍ程度の金属線で編まれた網目１５ｍｍ程度の金網等を使用することができる。また、この第１の導電性シート４の材質は導電性であれば良いので、金属板あるいは金属箔を被着させたプラスチック板等も使用できる。
【００２５】
餌載置部４は、餌収納容器４ａと、餌収納容器４ａの内面に配置した第２の導電性シート４ｂとから構成される。餌収納容器４ａは絶縁性材料により凹状に成型され、収納ボックス６の上に載置される。第２の導電性シート４ｂは、餌収納容器４ａ内面の上端部近傍を除いて配置され、衝撃電圧発生装置１のプラス側の出力端子１ｂに導電線１０を介して接続される。そして、餌収納容器４ａの内面底面部中央付近の第２の導電性シート４ｂ上に餌５が置かれる。第２の導電性シート４ｂには、厚さ０．２ｍｍ程度の金属箔等を使用することができ、また、直径０．１ｍｍ程度の金属線で編まれた網目１ｍｍ程度の金属網等も使用できる。
【００２６】
以上の構成において、猫が餌収納容器４ａ内の餌５に引き寄せられ、それを食べようとすると、図１（ａ）に示すように、後足は第１の導電性シート３に乗り、前足は餌収納容器４ａの上端に掛けた状態になる。この状態では、餌収納容器４ａが絶縁性であるので、衝撃電流は猫の体内には流れず猫は電撃を受けない。
【００２７】
その後、猫が餌収納容器４ａ内に頭を突っ込み餌５を食べようとすると、舌や口や鼻の周囲が第２の導電性シート４ｂに接触する。これにより、衝撃電圧発生装置１から衝撃電流が猫の体内に流れ、猫はその舌や口や鼻の周辺に電撃を受ける。
【００２８】
このように、本発明によれば、電撃に対する感受性の高い犬猫等の舌や口や鼻の周辺に確実に電撃を与えることができる。そして、電撃を学習した犬猫等は、当分の間又は永遠にその場所に近寄らなくなる。
【００２９】
使用後は図２に示すように、側シート３ｂを上方に折り曲げて箱状とし、ゴムバンド１１等によって箱型を保持するようにする。これによって全体をコンパクトにすることができ、持ち運びや収納が容易となる。なお、図２において本体Ａは簡略化して破線で示している。
【００３０】
以上の実施例では、第２の導電性シート４ｂを餌収納容器４ａの内面にその上端部近傍を除いて配置したが、第２の導電性シート４ｂを餌収納容器４ａの底面部にのみ配置しても良い。なお、犬猫等が餌を食べようとするとき、前足及び後足を第１の導電性シート３に載せ、頭部を餌載置部４に突っ込み餌５を食べようとする場合もある。この場合、犬猫等の身体は餌載置部４の上端部には触れないので、第２の導電性シート４ｂを餌収納容器４ａの内面全面に配置、あるいは餌載置部を導電性材料で形成した餌収納容器としたとしても、電撃に対する感受性の高い犬猫等の舌や口や鼻の周辺に確実に電撃を与えることができる。
【００３１】
餌載置部を導電性材料で形成した餌収納容器とした場合、餌載置部は、衝撃電圧発生装置１のプラス側の出力端子１ｂに導電線１０によって直接接続される。
【産業上の利用可能性】
【００３２】
本発明の動物撃退装置は、花壇や家庭菜園、ゴミ集積場等のあらゆる場所に設置して、屋外を徘徊する犬猫や野生の動物等を撃退するために利用可能である。
【図面の簡単な説明】
【００３３】
【図１】本発明に係る動物撃退装置の一実施例を示し、（ａ）は概略断面図、（ｂ）は概略平面図である。
【図２】図１の動物撃退装置において第１の導電性シートを折り曲げた状態を示す概略正面図である。
【符号の説明】
【００３４】
１００  動物撃退装置
Ａ  動物撃退装置の本体
１  衝撃電圧発生装置
１ａ  マイナス側の出力端子
１ｂ  プラス側の出力端子
２  電池
３  第１の導電性シート
３ａ  底シート
３ｂ  側シート
４  餌載置部
４ａ  餌収納容器
４ｂ  第２の導電性シート
５  餌
６  収納ボックス
７  スイッチ
８  出力ランプ
９、１０  導電線
１１  ゴムバンド
【図１】
2006136254.tif 000003
【図２】
2006136254.tif 000004